Podtech/llm-jp-corpus-v4-ja_patent huggingface dataset:
【手続補正書】
【提出日】平成14年12月26日(2002.12.26)
【手続補正１】
【補正対象書類名】明細書
【補正対象項目名】特許請求の範囲
【補正方法】変更
【補正の内容】
【特許請求の範囲】
【請求項１】
少なくとも１つのスノキ属植物の少なくとも１つの抽出物からなる、グリケーションを低減するための薬剤。
【請求項２】
グリケーションがタンパク質のグリケーションであることを特徴とする請求項１に記載の薬剤。
【請求項３】
タンパク質が、皮膚及び／又は爪及び／又は毛髪のタンパク質であることを特徴とする請求項２に記載の薬剤。
【請求項４】
皮膚のタンパク質が真皮のタンパク質であることを特徴とする請求項３に記載の薬剤。
【請求項５】
コラーゲンのグリケーションを低減するための請求項１ないし４の何れか１項に記載の薬剤。
【請求項６】
爪及び／又は毛髪のタンパク質がケラチンであることを特徴とする請求項３に記載の薬剤。
【請求項７】
グリケーションに関連した、皮膚及び／又はその付随構造の加齢の徴候を予防的及び／又は治療的に処置するための、請求項１ないし６の何れか１項に記載の薬剤。
【請求項８】
スノキ属植物が、ヴァシニアム・ミリティラス（Ｖａｃｃｉｎｉｕｍ ｍｙｒｔｉｌｌｕｓ）、ヴァシニアム・アングスティフォリウム（Ｖａｃｃｉｎｉｕｍ ａｎｇｕｓｔｉｆｏｌｌｉｕｍ）、ヴァシニアム・アーボレウム（Ｖａｃｃｉｎｉｕｍ ａｒｂｏｒｅｕｍ）、ヴァシニアム・アークトスタフィロス（Ｖａｃｃｉｎｉｕｍ ａｒｃｔｏｓｔａｐｈｙｌｏｓ）、ヴァシニアム・ケスピトサム（Ｖａｃｃｉｎｉｕｍ ｃａｅｓｐｉｔｏｓｕｍ）、ヴァシニアム・コリンボサム（Ｖａｃｃｉｎｉｕｍ ｃｏｒｙｍｂｏｓｕｍ）、ヴァシニアム・ハースタム（Ｖａｃｃｉｎｉｕｍ ｈｉｒｓｕｔｕｍ）、ヴァシニアム・マクロカープム（Ｖａｃｃｉｎｉｕｍ ｍａｃｒｏｃａｒｐｕｍ）、ヴァシニアム・オヴァタム（Ｖａｃｃｉｎｉｕｍ ｏｖａｔｕｍ）、ヴァシニアム・オキシコッコス（Ｖａｃｃｉｎｉｕｍ ｏｘｙｃｏｃｃｏｓ）、ヴァシニアム・スタミネウム（Ｖａｃｃｉｎｉｕｍ ｓｔａｍｉｎｅｕｍ）、ヴァシニアム・ウリギノサム（Ｖａｃｃｉｎｉｕｍ ｕｌｉｇｉｎｏｓｕｍ）、ヴァシニアム・ウルセオラタム（Ｖａｃｃｉｎｉｕｍ ｕｒｃｅｏｌａｔｕｍ）及びヴァシニアム・ヴァイティス−イデア（Ｖａｃｃｉｎｉｕｍ ｖｉｔｉｓ−ｉｄａｅａ）種から選択される種であることを特徴とする請求項１ないし７のいずれか１項に記載の薬剤。
【請求項９】
スノキ属の植物がヴァシニアム・アングスティフォリウム（Ｖａｃｃｉｎｉｕｍ ａｎｇｕｓｔｉｆｏｌｌｉｕｍ）種のものであることを特徴とする請求項８に記載の薬剤。
【請求項１０】
請求項１ないし９の何れか１項に記載の薬剤を含有する、グリケーションを低減するための組成物。
【請求項１１】
上記薬剤が、組成物の全重量に対して０．００１％〜２５％の範囲の量で存在していることを特徴とする請求項１０に記載の組成物。
【請求項１２】
上記薬剤が、組成物の全重量に対して０．００５％〜１５％の範囲の量で存在していることを特徴とする請求項１１に記載の組成物。
【請求項１３】
皮膚及び／又は爪及び／又は毛髪のタンパク質のグリケーションに関連する加齢の徴候を処理する美容処理方法において、有効量の少なくとも１つのスノキ属植物の少なくとも１つの抽出物を含有する化粧品組成物を皮膚及び／又は爪及び／又は毛髪に適用し、該抽出物又は該組成物がグリケーションを阻害するためのものであることを特徴とする方法。
【手続補正書】
【提出日】平成15年4月2日(2003.4.2)
【手続補正１】
【補正対象書類名】明細書
【補正対象項目名】特許請求の範囲
【補正方法】変更
【補正の内容】
【特許請求の範囲】
【請求項１】
肺気腫の処置のための、治療活性量の１３−cis−レチノイン酸、又はその薬剤学的に許容しうる塩、水和物、溶媒和物、若しくはプロドラッグを含むことを特徴とする医薬の製造のための、このような化合物の使用。
【請求項２】
治療活性量が、約０．１μgと約１０．０mgの間である、請求項１記載の１３−cis−レチノイン酸、又はその薬剤学的に許容しうる塩、水和物、溶媒和物、若しくはプロドラッグの使用。
【請求項３】
肺気腫が、中心小葉性肺気腫又は遠位小葉性肺気腫である、請求項１又は２記載の１３−cis−レチノイン酸、又はその薬剤学的に許容しうる塩、水和物、溶媒和物、若しくはプロドラッグの使用。
【請求項４】
医薬が、電気流体力学的エーロゾル装置で投与される、請求項１、２又は３記載の１３−cis−レチノイン酸、又はその薬剤学的に許容しうる塩、水和物、溶媒和物、若しくはプロドラッグの使用。
【請求項５】
肺気腫の１つの症候を軽減するのに充分である量の１３−cis−レチノイン酸、又はその薬剤学的に許容しうる塩、水和物、溶媒和物、若しくはプロドラッグ、及び薬剤学的に許容しうる担体を含むことを特徴とする、肺気腫に罹患した哺乳動物を治療するのに適した薬剤組成物。
【請求項６】
薬剤学的に許容しうる担体が、電気流体力学的エーロゾル装置、エーロゾル装置又はネブライザー装置に適している、請求項５記載の薬剤組成物。
【請求項７】
１３−cis−レチノイン酸、又はその薬剤学的に許容しうる塩、水和物、溶媒和物、若しくはプロドラッグの量が、約０．１μgと約１０．０mgの間である、請求項５記載の薬剤組成物。
【請求項８】
薬剤学的に許容しうる担体が、液体である、請求項６記載の薬剤組成物。
【請求項９】
薬剤学的に許容しうる担体が、水、アルコール、ポリエチレングリコール及びペルフルオロカーボンよりなる群から選択される、請求項８記載の薬剤組成物。
【請求項１０】
１３−cis−レチノイン酸、又はその薬剤学的に許容しうる塩、水和物、溶媒和物、若しくはプロドラッグの量が、約１．０μgと約１００．０μgの間である、請求項８記載の薬剤組成物。
【請求項１１】
肺気腫のリスクのあるヒトにおける肺気腫を予防するのに適した薬剤組成物であって、肺気腫を予防するのに充分である量の１３−cis−レチノイン酸、又はその薬剤学的に許容しうる塩、水和物、溶媒和物、若しくはプロドラッグ及び薬剤学的に許容しうる担体を含むことを特徴とする組成物。
【手続補正書】
【提出日】平成15年4月10日(2003.4.10)
【手続補正１】
【補正対象書類名】明細書
【補正対象項目名】特許請求の範囲
【補正方法】変更
【補正の内容】
【特許請求の範囲】
【請求項１】
ロバスタチンから高純度シンバスタチンを形成する方法であって、
a）ロバスタチンをアミンと反応させることによってラクトン環を開環させてアミドを形成し；
b）保護基を用いて1,3-ジオール部分を保護し；
c）ヘキサヒドロナフタレン環の8位に位置する酸素を通じてエステル結合している2-メチルブチリル基を除去し；
d）エステル結合を形成することによって2,2-ジメチルブチレート基を8位のヒドロキシルに結合させ；
e）上記保護基を除去し；
f）上記アミドを酸性塩に変換し；
g）ラクトン環の閉環によってシンバスタチンを形成する操作を含む方法。
【請求項２】
ラクトン環を開環させる上記ステップを、ラクトンを、アンモニア、第1級アミン及び第2級アミンからなるグループの中から選択した少なくとも1つの化合物と反応させることによって実行する、請求項１に記載の方法。
【請求項３】
ラクトン環を開環させる上記ステップを、ラクトンを、n-ブチルアミン、シクロヘキシルアミン、ピペリジン及びピロリジンからなるグループの中から選択したアミンと反応させることによって実行する、請求項１に記載の方法。
【請求項４】
上記保護基を、アセタール、ケタール、環式硫酸塩、環式リン酸塩及びホウ酸塩からなるグループの中から選択する、請求項１に記載の方法。
【請求項５】
上記シンバスタチンに含まれるシンバ-オキソラクトンが約0.1重量％未満である、請求項１に記載の方法。
【請求項６】
上記シンバスタチンに含まれる無水シンバスタチンが約0.1重量％未満である、請求項１に記載の方法。
【請求項７】
上記シンバスタチンに含まれるジヒドロシンバスタチンが約0.1重量％未満である、請求項１に記載の方法。
【請求項８】
上記ロバスタチンが、約30％までの不純物を含む不純混合物に含まれる、請求項１に記載の方法。
【請求項９】
以下の一般式I：
【化１】
2004505045.tif 000001
で表わされる半合成スタチンを、以下の一般式II：
【化２】
2004505045.tif 000002
で表わされるスタチンから形成する方法であって、
a）一般式IIのスタチンをアミンと反応させることによってラクトン環を開環させてアミドを形成し；
b）保護基を用いて1,3-ジオール部分を保護し；
c）ヘキサヒドロナフタレン環の8位に位置する酸素を通じてエステル結合しているR1基を除去し；
d）エステル結合を形成することによってR2基を8位のヒドロキシルに結合させ；
e）上記保護基を除去し；
f）上記アミドを酸性塩に変換し；
g）ラクトン環の閉環によって一般式Iの半合成スタチン（ただし、R1とR2は、両方とも、エステル結合によって酸素と結合しているアシル基であり、R3とR4は、独立に、-H、-OH、-C1-10アルキル、-C6-14アリール及び-C6-14アリール-C1-3からなるグループの中から選択される）を形成する操作を含む方法。
【請求項１０】
一般式Iの半合成スタチンに含まれる不純物が約0.1％未満である、請求項９に記載の方法。
【請求項１１】
一般式IIのステインが、約30％までの不純物を含む不純混合物に含まれる、請求項９に記載の方法。
【請求項１２】
上記保護基を、アセタール、ケタール、環式硫酸塩、環式リン酸塩及びホウ酸塩からなるグループの中から選択する、請求項９に記載の方法。
【請求項１３】
R1が、
【化３】
2004505045.tif 000003
の形態をしたアシル基（ただし、OMは、ヘキサヒドロナフタレン環の8位における置換基である酸素であり、R5は、-C1-15アルキル、-C3-15シクロアルキル、-C2-15アルケニル、-C2-15アルキニル、-フェニル及び-フェニルC1-6アルキルからなるグループの中から選択され、Aは、R5の置換基であって、水素、ハロゲン、C1-6アルキル、C1-6アルコキシ及びC6-14アリールからなるグループの中から選択される）である、請求項９に記載の方法。
【請求項１４】
R2が、
【化４】
2004505045.tif 000004
の形態をしたアシル基（ただし、OMは、ヘキサヒドロナフタレン環の8位における置換基である酸素であり、R6は、-C1-15アルキル、-C3-15シクロアルキル、-C2-15アルケニル、-C2-15アルキニル、-フェニル及び-フェニルC1-6アルキルからなるグループの中から選択され、Bは、R6の置換基であって、水素、ハロゲン、C1-6アルキル、C1-6アルコキシ及びC6-14アリールからなるグループの中から選択される）である、請求項９に記載の方法。
【請求項１５】
X、Y、Zの位置に見られる点線は可能な二重結合を表わしており、二重結合が存在している場合には、XとZがともに二重結合になっているか、あるいはX、Y、Zのいずれか1つだけが二重結合になっている、請求項９に記載の方法。
【請求項１６】
ラクトン環を開環させる上記ステップを、ラクトンを、アンモニア、第1級アミン又は第2級アミンのいずれかと反応させることによって実行する、請求項９に記載の方法。
【請求項１７】
ラクトン環を開環させる上記ステップを、ラクトンを、n-ブチルアミン、シクロヘキシルアミン、ピペリジン及びピロリジンからなるグループの中から選択したアミンと反応させることによって実行する、請求項９に記載の方法。
【手続補正書】
【提出日】平成15年2月21日(2003.2.21)
【手続補正１】
【補正対象書類名】明細書
【補正対象項目名】０１２０
【補正方法】変更
【補正の内容】
【０１２０】
組み換え核酸は、好ましくは、打ち負かそうとする内生遺伝子を含有する染色体ＤＮＡを持つ細胞中に挿入される。細胞中において、組み換え核酸分子は、打ち負かそうとする遺伝子の転写を妨げるかまたは中断するような位置で、細胞のＤＮＡとの相同組み換えにより組み込むことができる。こうした挿入は通常相同組み換えにより起こる（すなわち、内生ＤＮＡ配列に相同的または相補的である標的ベクターの領域は、標的ベクターが細胞中に挿入される場合互いにハイブリッド化する；次に、これらの領域は標的ベクターの部分が内因性ＤＮＡの対応する位置に組み込まれるように組み換えすることができる）。前記のごとく、１又は複数のヌクレオチド配列を、その発現を抑圧するために遺伝子中に挿入することができる。


【手続補正２】
【補正対象書類名】明細書
【補正対象項目名】０１３８
【補正方法】変更
【補正の内容】
【０１３８】
ＩＦＮ−β２遺伝子はあらゆる望ましい位置で修飾することができる。それは、完全なＩＦＮ−β２ポリペプチドの１以上の活性を有する不完全なＩＦＮ−β２ポリペプチドが生産されるように、修飾することができる。所望により、挿入部は組み換え遺伝子から除去することができる。実施例において、ネオマイシンカセットはマウスのＩＦＮ−β２遺伝子のエクソンを置換してそれを機能的に不活性にした。次に、ネオマイシンカセットは、例えば組み換え系を用いて、ＩＦＮ−β２遺伝子から除去することができる。クレ・ロックス（Ｃｒｅ−ｌｏｘ）部位特異的組み換え系は、特に、組み換え遺伝子から配列を除去するために有用である。
【手続補正書】
【提出日】平成16年4月23日(2004.4.23)
【手続補正１】
【補正対象書類名】明細書
【補正対象項目名】特許請求の範囲
【補正方法】変更
【補正の内容】
【特許請求の範囲】
【請求項１】骨強度を増加する製剤の調製における、以下の式：
【化１】
2004505022.tif 000001
を有する２−メチレン−１９−ノル−２０（Ｓ）−１α，２５−ジヒドロキシビタミンＤ3の使用。
【請求項２】前記骨強度が皮質（ｃｏｒｔｉｃａｌ）強度または柱性（ｔｒａｂｅｃｕｌａｒ）強度である、請求項１に記載の使用。
【請求項３】前記製剤が経口投与、非経口投与、または経皮投与に指向される、請求項１に記載の使用。
【請求項４】前記製剤が２−メチレン−１９−ノル−２０（Ｓ）−１α，２５−ジヒドロキシビタミンＤ3を一日当たり０．１μｇないし１０μｇの投与量で提供する、請求項１に記載の使用。
【請求項５】以下の式：
【化２】
2004505022.tif 000002
を有する有効な量の２−メチレン−１９−ノル−２０（Ｓ）−１α，２５−ジヒドロキシビタミンＤ3を含む、骨強度を増加するための医薬組成物。
【請求項６】前記骨強度が皮質強度または柱性強度である、請求項５に記載の医薬組成物。
【請求項７】経口投与、非経口投与、または経皮投与に適している、請求項５に記載の医薬組成物。
【請求項８】２−メチレン−１９−ノル−２０（Ｓ）−１α，２５−ジヒドロキシビタミンＤ3が組成物の０．１μｇ／ｇｍないし５０μｇ／ｇｍの量で存在する、請求項５に記載の医薬組成物。
【手続補正書】
【提出日】平成15年12月16日(2003.12.16)
【手続補正１】
【補正対象書類名】明細書
【補正対象項目名】特許請求の範囲
【補正方法】変更
【補正の内容】
【特許請求の範囲】
【請求項１】
局所投与に適した賦形剤および補助剤の混合物中に、有効成分として、ヒアルロン酸、グリシルレチン酸およびポリビニルピロリドンの有効量を含む医薬組成物。
【請求項２】
さらに、増粘剤、界面活性剤、安定化剤−保存剤、香味剤、着香剤、甘味剤、生物学的接着剤、共可溶化剤を含む、請求項１記載の組成物。
【請求項３】
さらに、セルロース誘導体、アクリル酸もしくはメタアクリル酸重合体または共重合体、エチレンまたはプロピレングリコール、ボリエトキシ化硬化ひまし油、ＥＤＴＡ、安息香酸ナトリウム、ソルビン酸ナトリウムまたはカリウム、デキストリン、サッカリンナトリウム、アスパルテームを含む、請求項２記載の組成物。
【請求項４】
さらに、相補的なまたはなんらかの有用な活性を有する他の活性成分を含む、請求項１〜３のいずれか１項記載の組成物。
【請求項５】
抗菌剤／殺菌剤、抗真菌剤、鎮静剤、抗炎症剤、皮膚軟化剤、局所麻酔剤を含む、請求項４記載の組成物。
【請求項６】
下記の組成パーセントを有する請求項１記載の組成物。
ヒアルロン酸ナトリウム              ０.１
グリシルレチン酸                    ０.０６
ＰＶＰ                              ９.０
マルトデキストリン                  ６.００
プロピレングリコール                ２.９４
ソルビン酸カリウム                  ０.３
安息香酸ナトリウム                  ０.３
ヒドロキシエチルセルロース          １.５
硬化ヒマシ油ＰＥＧ−４０            ０.２７
ＥＤＴＡ二ナトリウム                ０.１
塩化ベンザルコニウム                ０.５
香料(グリシルリツァ配合物2717)      ０.１６
サッカリンナトリウム                ０.１
浄化水                            ７８.４４
【請求項７】
口腔粘膜の炎症症状の局所処置および中咽頭および食道の被覆、具体的には粘膜炎および口内炎、および膣および直腸の粘膜の被覆(これに限定されないが、口腔前庭炎およびベーチェット症候群を含む)のための医薬の製造のためのヒアルロン酸、グリシルレチン酸およびポリビニルピロリドンの使用。
【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
リパーゼ阻害物質および薬学的に許容される胆汁酸封鎖剤を含む医薬組成物。
【請求項２】
一つ以上の薬学的に許容される賦形剤を含む、請求項１記載の医薬組成物。
【請求項３】
リパーゼ阻害物質がオルリスタットである、請求項１または２記載の医薬組成物。
【請求項４】
薬学的に許容される胆汁酸封鎖剤が、コレスチラミン、コレスチポール、コレセベラム、コレスチミド、セベラマー、セルロースおよびデキストラン誘導体、デンプンおよびデンプン誘導体ならびにそれらの薬学的に許容される塩からなる群より選択される、請求項１〜３のいずれか記載の組成物。
【請求項５】
胆汁酸封鎖剤が、セルロースまたはデキストラン誘導体である、請求項１〜４のいずれか記載の組成物。
【請求項６】
セルロースまたはデキストラン誘導体が、ＤＥＡＥ−セルロース、グアニジノエチルセルロース、およびＤＥＡＥ−セファデックスからなる群より選択される、請求項１〜５のいずれか記載の組成物。
【請求項７】
デンプンまたはデンプン誘導体が、β−またはγ−シクロデキストリン、劣化および／または分解デンプン、疎水性デンプン、アミロース、デンプン−ジエチルアミノエチルエーテルおよびデンプン−２−ヒドロキシエチルエーテルからなる群より選択される、請求項１〜４のいずれか記載の組成物。
【請求項８】
デンプン誘導体が、β−またはγ−シクロデキストリンから選択される、請求項７記載の組成物。
【請求項９】
胆汁酸封鎖剤が、コレスチラミン、コレスチポール、コレセベラム、コレスチミド、セベラマー、セルロース、ＤＥＡＥ−セルロース、グアニジノエチルセルロース、およびＤＥＡＥ−セファデックス、デンプン、β−またはγ−シクロデキストリンからなる群より選択される、請求項１〜４のいずれか記載の組成物。
【請求項１０】
胆汁酸封鎖剤が、コレスチラミン、コレスチポール、コレスチミド、コレセベラム、セベラマー、ＤＥＡＥ−セルロース、およびβ−またはγ−シクロデキストリンからなる群より選択される、請求項９記載の組成物。
【請求項１１】
胆汁酸封鎖剤が、コレスチラミン、コレスチポール、セベラマー、ＤＥＡＥ−セルロース、およびβ−またはγ−シクロデキストリンからなる群より選択される、請求項９または１０記載の組成物。
【請求項１２】
胆汁酸封鎖剤が、コレスチラミン、コレスチポール、およびセベラマーからなる群より選択される、請求項９〜１１のいずれか記載の組成物。
【請求項１３】
胆汁酸封鎖剤が、コレスチラミンである、請求項９〜１１のいずれか記載の組成物。
【請求項１４】
胆汁酸封鎖剤が、コレスチポールである、請求項９〜１１のいずれか記載の組成物。
【請求項１５】
胆汁酸封鎖剤が、セベラマーである、請求項９〜１１のいずれか記載の組成物。
【請求項１６】
ａ）約５〜約１０００mgのリパーゼ阻害物質およびｂ）約０．１〜約２０ｇの胆汁酸封鎖剤を含む、請求項１〜１５のいずれか記載の組成物。
【請求項１７】
薬学的に許容される賦形剤が、充填剤、界面活性剤、崩壊剤、結合剤、潤滑剤、流動性向上剤、甘味剤、および着色剤からなる群より選択される、請求項１〜１６のいずれか記載の組成物。
【請求項１８】
ａ）約５〜約１０００mgのリパーゼ阻害物質；
ｂ）約０．１〜約２０ｇの胆汁酸封鎖剤；および
場合により、約０．１〜約１０ｇの充填剤、約０．０５〜約３．０ｇの界面活性剤、約０．０５〜約２．０ｇの崩壊剤、約０．０２〜約２．０ｇの結合剤、約０．００１〜約１．０ｇの潤滑剤、約０．１〜約５．０ｇの流動性向上剤、約０．０１〜約４．０ｇの甘味剤、および約０．００１〜約０．５ｇの着色剤の群より選択される薬学的に許容される賦形剤
を含む、請求項１〜１７のいずれか記載の組成物。
【請求項１９】
リパーゼ阻害物質が、オルリスタットである、請求項１８記載の組成物。
【請求項２０】
約１０〜約５００mgのリパーゼ阻害物質を含む、請求項１〜１９のいずれか記載の組成物。
【請求項２１】
約２０〜約１００mgのリパーゼ阻害物質を含む、請求項１〜２０のいずれか記載の組成物。
【請求項２２】
約１０〜約３６０mgのオルリスタットを含む、請求項１〜２１のいずれか記載の組成物。
【請求項２３】
約３０〜約１２０mgのオルリスタットを含む、請求項１〜２２のいずれか記載の組成物。
【請求項２４】
約４０〜約８０mgのオルリスタットを含む、請求項１〜２３のいずれか記載の組成物。
【請求項２５】
約０．５〜約１０ｇの胆汁酸封鎖剤を含む、請求項１〜２４のいずれか記載の組成物。
【請求項２６】
約１〜約５ｇの胆汁酸封鎖剤を含む、請求項１〜２５のいずれか記載の組成物。
【請求項２７】
肥満症の治療および予防に使用するための、請求項１〜２６のいずれか記載の組成物。
【請求項２８】
リパーゼ阻害物質を胆汁酸封鎖剤および場合により一つ以上の薬学的に許容される賦形剤と混合することを含む、請求項１〜２６のいずれか記載の組成物の製造方法。
【請求項２９】
経口単位剤形中に、リパーゼ阻害物質である第一成分とｂ）胆汁酸封鎖剤である第二成分とを含む、肥満症処置用キット。
【請求項３０】
肥満症の治療および予防に有用な医薬の製造における請求項１〜２６のいずれか記載の組成物の使用。
【請求項３１】
請求項１〜２６のいずれか記載の胆汁酸封鎖剤での処置も受けている患者において肥満症を治療および予防するための医薬の製造における請求項１〜２６のいずれか記載のリパーゼ阻害物質の使用。
【請求項３２】
肥満症の治療および予防のための、同時に、別々にまたは逐次的に使用するための請求項３１記載の使用。
【請求項３３】
肥満症の治療および予防のための、同時に、別々にまたは逐次的に使用するための請求項１〜２６記載のリパーゼ阻害物質および胆汁酸封鎖剤。
【請求項３４】
肥満症の治療および予防のために、同時に、別々にまたは逐次的に使用するための複合製剤としての、請求項１〜２６記載のリパーゼ阻害物質および胆汁酸封鎖剤。
【請求項３５】
油性斑点、脂肪／油性便、便意促迫、排便増加および大便失禁の群より選択される胃腸の副作用の治療および予防に有用な医薬の製造における、請求項１〜２６のいずれか記載の胆汁酸封鎖剤の使用。
【手続補正書】
【提出日】平成15年3月24日(2003.3.24)
【手続補正１】
【補正対象書類名】明細書
【補正対象項目名】特許請求の範囲
【補正方法】変更
【補正の内容】
【特許請求の範囲】
【請求項１】
高血漿中コレステロール濃度に関連する疾病を予防および治療するための、リパーゼ阻害物質および薬学的に許容され得る胆汁酸封鎖剤を含む医薬組成物。
【請求項２】
高コレステロール血症を予防および治療するための請求項１記載の医薬組成物。
【請求項３】
リパーゼ阻害物質がオルリスタットである、請求項１または２記載の医薬組成物。
【請求項４】
薬学的に許容され得る胆汁酸封鎖剤が、コレスチラミン；コレスチポール；コレセベラム；コレスチミド；セベラマー；セルロースおよびデキストラン誘導体；デンプンおよびデンプン誘導体；ならびにそれらの薬学的に許容され得る塩からなる群より選択される、請求項１〜３のいずれか一項記載の医薬組成物。
【請求項５】
薬学的に許容され得る胆汁酸塩封鎖剤が、セルロースまたはデキストラン誘導体である、請求項１〜４のいずれか一項記載の医薬組成物。
【請求項６】
セルロースまたはデキストラン誘導体が、ＤＥＡＥ−セルロース、グアニジノエチルセルロースおよびＤＥＡＥ−セファデックスからなる群より選択される、請求項１〜５のいずれか一項記載の医薬組成物。
【請求項７】
デンプン誘導体が、β−またはγ−シクロデキストリン；老化および／または分解デンプン；疎水性デンプン；アミロース；デンプン−ジエチルアミノエチルエーテル；ならびにデンプン−２−ヒドロキシエチルエーテルからなる群より選択される、請求項１〜４のいずれか一項記載の医薬組成物。
【請求項８】
デンプン誘導体が、β−またはγ−シクロデキストリンから選択される、請求項７記載の医薬組成物。
【請求項９】
胆汁酸封鎖剤が、コレスチラミン；コレスチポール；コレセベラム；コレスチミド；セベラマー；セルロース；ＤＥＡＥ−セルロース；グアニジノエチルセルロース；ＤＥＡＥ−セファデックス；デンプン；およびβ−またはγ−シクロデキストリンからなる群より選択される、請求項１〜４のいずれか一項記載の医薬組成物。
【請求項１０】
胆汁酸封鎖剤が、コレスチラミン；コレスチポール；コレセベラム；コレスチミド；セベラマー；ＤＥＡＥ−セルロース；およびβ−またはγ−シクロデキストリンからなる群より選択される、請求項９記載の医薬組成物。
【請求項１１】
胆汁酸封鎖剤が、コレスチラミン；コレスチポール；セベラマー；ＤＥＡＥ−セルロース；およびβ−またはγ−シクロデキストリンからなる群より選択される、請求項９または１０記載の医薬組成物。
【請求項１２】
胆汁酸封鎖剤が、コレスチラミン、コレスチポールおよびセベラマーからなる群より選択される、請求項９〜１１のいずれか一項記載の医薬組成物。
【請求項１３】
胆汁酸封鎖剤が、コレスチラミンである、請求項９〜１２のいずれか一項記載の医薬組成物。
【請求項１４】
胆汁酸封鎖剤が、コレスチポールである、請求項９〜１２のいずれか一項記載の医薬組成物。
【請求項１５】
胆汁酸封鎖剤が、セベラマーである、請求項９〜１２のいずれか一項記載の医薬組成物。
【請求項１６】
約５〜約１０００ｍｇのリパーゼ阻害物質、および約０．１〜約２０ｇの胆汁酸封鎖剤、および場合により一つ以上の薬学的に許容され得る添加剤を含む、請求項１〜１５のいずれか一項記載の医薬組成物。
【請求項１７】
薬学的に許容され得る添加剤が、賦形剤、糖および／または糖アルコール；界面活性剤；崩壊剤；結合剤；滑沢剤；流動性向上剤；甘味剤；ならびに着色剤からなる群より選択される、請求項１６記載の医薬組成物。
【請求項１８】
ａ）約５〜約１０００ｍｇのリパーゼ阻害物質；
ｂ）約０．１〜約２０ｇの胆汁酸封鎖剤；および
場合により、約０．１〜約１０ｇの賦形剤、糖および／または糖アルコール、約０．０５〜約３．０ｇの界面活性剤、約０．０５〜約２．０ｇの崩壊剤、約０．０２〜約２．０ｇの結合剤、約０．００１〜約１．０ｇの滑沢剤、約０．１〜約５．０ｇの流動性向上剤、約０．０１〜約４．０ｇの甘味剤、および約０．００１〜約０．５ｇの着色剤の群より選択される薬学的に許容され得る添加剤を含む、請求項１６または１７記載の医薬組成物。
【請求項１９】
リパーゼ阻害物質が、オルリスタットである、請求項１６〜１８のいずれか一項記載の医薬組成物。
【請求項２０】
約１０〜約５００ｍｇのリパーゼ阻害物質を含む、請求項１６〜１９のいずれか一項記載の医薬組成物。
【請求項２１】
約２０〜約１００ｍｇのリパーゼ阻害物質を含む、請求項２０記載の医薬組成物。
【請求項２２】
約１０〜約３６０ｍｇのオルリスタットを含む、請求項２１記載の医薬組成物。
【請求項２３】
約３０〜約１２０ｍｇのオルリスタットを含む、請求項２２記載の医薬組成物。
【請求項２４】
約４０〜約８０ｍｇのオルリスタットを含む、請求項２３記載の医薬組成物。
【請求項２５】
約０．５〜約１０ｇの胆汁酸封鎖剤を含む、請求項１６〜２４のいずれか一項記載の医薬組成物。
【請求項２６】
約１〜約５ｇの胆汁酸封鎖剤を含む、請求項２５記載の医薬組成物。
【請求項２７】
胆汁酸塩封鎖剤が、コレスチラミンである、請求項１６〜２６のいずれか一項記載の医薬組成物。
【請求項２８】
請求項１〜２７のいずれか一項記載の胆汁酸封鎖剤またはその薬学的に許容され得る塩による処置も受けている患者において、高血漿中コレステロール濃度に関連する疾病を予防および治療するための、請求項１〜２７のいずれか一項記載のリパーゼ阻害物質を含む医薬組成物。
【請求項２９】
高血漿中コレステロール濃度に関連する疾病に同時に、別々にまたは逐次的に使用するための、請求項１〜２７のいずれか一項記載のリパーゼ阻害物質および請求項１〜２４のいずれか一項記載の胆汁酸封鎖剤およびそれらの薬学的に許容される塩。
【手続補正書】
【提出日】平成15年1月28日(2003.1.28)
【手続補正１】
【補正対象書類名】明細書
【補正対象項目名】特許請求の範囲
【補正方法】変更
【補正の内容】
【特許請求の範囲】
【請求項１】
所望によりアミノ基のいずれかが保護形態である、式
【化１】
2004505095.tif 000001
の化合物またはその塩または複合体。
【請求項２】
塩形態であり、非保護形態である、請求項１の化合物。
【請求項３】
モノまたはジ塩である請求項２の化合物。
【請求項４】
酢酸塩、安息香酸塩、アスパラギン酸塩またはパモ酸塩である、請求項３の化合物。
【請求項５】
保護され、ポリマーに結合、または非保護形態である線形ペプチドを、望まれる化合物を取得するようなやり方で環形成させること、および複数のこともある該保護基を所望により除去すること、およびこうして取得される、遊離または塩形態の望まれる化合物を回収することを含む、請求項１の化合物の製造方法。
【請求項６】
Ｐｒｏである該側鎖アミノ基が、キレート化剤にコンジュゲートされ、検出可能または放射性治療用元素と所望により複合体化されている、請求項１の化合物。
【請求項７】
請求項１の化合物またはその薬学的に許容される塩と、そのための１または２以上の薬学的に許容される希釈剤または担体とを含む、医薬組成物。
【請求項８】
持続的放出形態または局所用形態である、請求項７の医薬組成物。
【請求項９】
免疫抑制剤、抗炎症性物質、ＧＨ分泌促進物質レセプター調節物質、ＧＨレセプターアンタゴニスト、インスリン分泌促進物質、インスリン分泌増強剤、インスリン増感剤、低用量のインスリン、抗血管形成効果を有する物質または化学的治療物質との組み合わせ使用のための、請求項７の医薬組成物。
【手続補正書】
【提出日】平成15年4月8日(2003.4.8)
【手続補正１】
【補正対象書類名】明細書
【補正対象項目名】００６３
【補正方法】変更
【補正の内容】
【００６３】
本発明の別の態様によれば、ダイ３０は、米国特許出願０９／００９２０５号および図２Ｂに開示されている実施形態のいくつかに例示されているように、基板３４上に均等に配置して、概ね円形のアレイを形成することができる。ダイはまた、４つ、または何らかの他の数のサブグループなど、様々なグループとして取り付けることができ、次いでそのようなサブグループが基板上に取り付けられる。すなわち、複数のダイのサブグループを、個別に取り付けて、互いに電気的に結合することができ、その後、サブグループを、他のサブグループと共に基板上に取り付けることができる。したがって、本発明は、全てのダイの個別取付けに限定されない。


【手続補正２】
【補正対象書類名】明細書
【補正対象項目名】図面の簡単な説明
【補正方法】変更
【補正の内容】
【図面の簡単な説明】
【図１】
本発明の原理による硬化ライト装置の一実施形態の部分断面側面図である。
【図２】
図１に例示された本発明の実施形態の一部分の部分断面側面図である。
【図２Ａ】
本発明の別の実施形態の一部分の部分断面側面図である。
【図２Ｂ】
本発明の一つの実施形態にしたがったアレイの平面図である。
【図３】
本発明の別の実施形態の一部分の部分断面側面図である。
【図４】
本発明の別の実施形態の一部分の部分断面側面図である。
【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】  N末端からC末端に、以下の：
第一ペプチジル断片；
アルギニン残基又はリジン残基あるいは少なくとも１個の切断可能ぺプチジル断片；
生物学的に活性な立体配座に折たたまれたときにインスリン様の生理活性を示す哺乳動物インスリン前駆体から成るヒトインスリン前駆体ペプチジル断片、ここで、上記ヒトインスリン前駆体ペプチジル断片が哺乳動物インスリンＢ鎖及びＡ鎖を含み、そしてここで、上記Ｂ鎖と上記Ａ鎖が１及び３４残基の間の長さの除去可能なペプチジル部分により分離される；
を含む、キメラタンパク質であって、
ここで、上記アルギニン残基又はリジン残基あるいは上記少なくとも１個の切断可能ペプチジル断片が、上記第一ペプチジル断片及び上記ヒトインスリン前駆体ペプチジル断片を連結し；そして、
ここで、上記第一ペプチジル断片がヒト成長ホルモンの少なくとも最初の２０個のＮ−末端アミノ酸に対する十分な同一性を有することにより、上記キメラタンパク質がカオトロピック剤と接触される場合に、上記第一ペプチジル断片が上記ヒトインスリン前駆体ペプチジル断片の正確に折りたたまれた立体配座の形成を仲介可能である、前記キメラタンパク質。
【請求項２】  上記第一ペプチジル断片のアミノ酸配列が、上記第一ペプチジル断片と同じ長さの配列番号２のアミノ酸配列である、請求項１に記載のキメラタンパク質。
【請求項３】  上記インスリン前駆体ペプチジル断片のアミノ酸配列が、配列番号４のアミノ酸配列である、請求項２に記載のキメラタンパク質。
【請求項４】  上記インスリン前駆体ペプチジル断片のアミノ酸配列が、配列番号５のアミノ酸配列である、請求項２に記載のキメラタンパク質。
【請求項５】  上記キメラタンパク質が、配列番号６又は配列番号７のアミノ酸配列とアミノ酸配列において同一である、請求項１に記載のキメラタンパク質。
【請求項６】  上記第一ペプチジル断片；上記インスリン前駆体ペプチジル断片；並びにArg及びLysから成る群から選ばれるC末端アミノ酸残基を有する上記少なくとも１個の切断可能ペプチジル断片から成る、請求項２に記載のキメラタンパク質。
【請求項７】  上記第一ペプチジル断片及び上記インスリン前駆体ペプチジル断片が、アルギニン残基又はリジン残基であるただ一つのアミノ酸残基により連結されている、請求項２に記載のキメラタンパク質。
【請求項８】  上記哺乳動物インスリン前駆体がヒトインスリン前駆体である、請求項１に記載のキメラタンパク質。
【請求項９】  請求項１〜８のいずれか１項に記載のキメラタンパク質をコードする、単離された核酸。
【請求項１０】  請求項１〜８のいずれか１項に記載のキメラタンパク質をコードする核酸。
【請求項１１】  請求項１０に記載の核酸を含有する組み換え細胞。
【請求項１２】  インスリン前駆体のフォールディングを改良する能力に関してアミノ酸配列をスクリーニングするための検定方法であって、以下の：
（ａ）請求項１に記載のキメラタンパク質の第一ペプチジル断片のアミノ酸配列を変えて、前記変化を有する前記キメラタンパク質を生成し、前記キメラタンパク質が正確に折りたたまれるような条件下で、そしてそれに十分な時間、前記変化を有する前記キメラタンパク質を水性媒質中の少なくとも１のカオトロピック補助剤と接触させ、そして前記変化を有する前記キメラタンパク質のフォールディング収率を測定し；
（ｂ）工程（ａ）に用いられるものと同じであるが、しかし工程（ａ）に記載されたいかなるアミノ酸配列変化も伴わないキメラタンパク質を生成し、工程（ａ）に記載されたいかなるアミノ酸配列変化も伴わない上記キメラタンパク質を、少なくとも１のカオトロピック補助剤と水性媒質中で工程（ａ）で用いられたのと同一条件下で及び同一時間接触させて、そして上記キメラタンパク質のフォールディング収率を測定し；そして、
（ｃ）それぞれ工程（ａ）及び（ｂ）で測定されたキメラタンパク質の上記フォールディング収率を比較することを包含する検定方法であって、
ここで、工程（ａ）で測定される上記収率が実質的に工程（ｂ）で測定される上記収率と等しいか又はそれより大きく、このことが上記アミノ酸配列がインスリン前駆体のフォールディングを改良することを示す、前記検定方法。
【請求項１３】  工程（ａ）が、請求項２に記載のキメラタンパク質の第一ペプチジル断片のアミノ酸配列を変化させることを包含する、請求項１２に記載の方法。
【請求項１４】  正確に折りたたまれたインスリンポリペプチドの生成方法であって、以下の：
請求項１〜８のいずれか１項に記載の組み換えタンパク質を発現させ；
上記インスリンを正確に折りたたむために、上記組み換えタンパク質を、カオトロピック剤を含む水性媒質と接触させ；そして、
上記正確に折りたたまれたインスリンポリペプチドを放出させるために、上記アルギニン残基又はリジン残基あるいは少なくとも１個の切断可能ペプチジル断片を切断すること、
を含む、前記方法。
【請求項１５】  請求項１４に記載の方法により生成された、正確に折りたたまれたインスリンポリペプチド。
【手続補正書】
【提出日】平成15年4月4日(2003.4.4)
【手続補正１】
【補正対象書類名】明細書
【補正対象項目名】請求項２４
【補正方法】変更
【補正の内容】
【請求項２４】
Trp8a 、Trp8b 、Trp10aおよび／またはTrp10bの発現、および／またはTrp8a 、Trp8b 、Trp10aおよび／またはTrp10bの活性を減少または阻害する試薬からなる、前立腺腫瘍、子宮内膜癌（子宮癌）腫瘍、絨毛膜癌、肺癌または黒色腫の予防、治療、または改善用の医薬。
【手続補正２】
【補正対象書類名】明細書
【補正対象項目名】請求項２５
【補正方法】変更
【補正の内容】
【請求項２５】
試薬が、アンチセンスRNA を含むヌクレオチド配列である、請求項２４記載の医薬。
【手続補正３】
【補正対象書類名】明細書
【補正対象項目名】請求項２６
【補正方法】変更
【補正の内容】
【請求項２６】
試薬が、リボザイムを含むヌクレオチド配列である、請求項２４記載の医薬。
【手続補正４】
【補正対象書類名】明細書
【補正対象項目名】請求項２７
【補正方法】変更
【補正の内容】
【請求項２７】
試薬が、Trp8a 、Trp8b 、Trp10aおよび／またはTrp10bのインヒビターである、請求項２４記載の医薬。
【手続補正５】
【補正対象書類名】明細書
【補正対象項目名】請求項２８
【補正方法】変更
【補正の内容】
【請求項２８】
試薬が、抗Trp8a 抗体、抗Trp8b 抗体、抗Trp10a抗体および／または抗Trp10b抗体、またはそれらの断片である、請求項２７記載の医薬。
【手続補正書】
【提出日】平成15年4月1日(2003.4.1)
【手続補正１】
【補正対象書類名】明細書
【補正対象項目名】特許請求の範囲
【補正方法】変更
【補正の内容】
【特許請求の範囲】
【請求項１】
使用時に患者の膀胱頸部の中に位置する管状の貯留部分（１５Ａ）と、使用時に患者の尿道の中に納められる管状の排出部分（１５Ｂ）とを備えてなる無バルーン型尿道カテーテルであって、貯留部分は、平常時は膀胱頸部よりも大きい直径を有しているが、そこに軸方向力が加わったときには伸張可能であってその直径が尿道の直径よりも小さくなり、このカテーテルは、貯留部分が膀胱の内部に位置するまで尿道を通過することができ、貯留部分（１５Ａ）は、拡張するとともに前記軸方向力が解除されたときにその最初の寸法に戻り、それによって、膀胱頸部に位置しかつ係合して漏止部を形成するように構成されており、貯留部分（１５Ａ）および排出部分（１５Ｂ）が両方とも、前記軸方向力がこのカテーテルに加えられたときに、貯留部分（１５Ａ）および排出部分（１５Ｂ）の直径が減少し、かつ、前記軸方向力が解除されるかあるいは逆向きにされたときに、それらの部分の直径が増大するように、ある編組角で配置された構造用フィラメントを備えている編組材料から作られていることを特徴とする無バルーン型尿道カテーテル。
【請求項２】
貯留部分（１５Ａ）および排出部分（１５Ｂ）の前記編組角は、貯留部分に加えられた前記軸方向力が解除されたときにこれらの管状部分が差をつけて拡張するように、異なっている請求項１に記載の尿道カテーテル。
【請求項３】
貯留部分（１５Ａ）が、排出部分（１５Ｂ）よりも大きい直径のものであることを特徴とする請求項１または請求項２に記載の尿道カテーテル。
【請求項４】
貯留部分（１５Ａ）の遠位端の中に、前記軸方向力を加えて前記部分を伸張させるとともにその直径を減少させることのできる位置決め手段（１６）が組み入れられていることを特徴とする任意の先行請求項に記載の尿道カテーテル。
【請求項５】
前記位置決め手段（１６）が、形状記憶金属から作られていることを特徴とする請求項４に記載の尿道カテーテル。
【請求項６】
位置決め手段が、ナイロン、ポリプロピレン、ポリエチレン、ポリカーボネートあるいはＰＴＦＥのようなポリマー材料から作られていることを特徴とする請求項４に記載の尿道カテーテル。
【請求項７】
貯留部分（１５Ａ）の中に、前記軸方向力が解除されたときにその部分が最初の直径に戻るのを支援するために、ばね手段が組み入れられていることを特徴とする任意の先行請求項に記載の尿道カテーテル。
【請求項８】
ばね手段が、半径方向に伸張可能であることを特徴とする請求項７に記載の尿道カテーテル。
【請求項９】
ばね手段が、ポリマー材料から作られていることを特徴とする請求項８に記載の尿道カテーテル。
【請求項１０】
ばね手段が、ポリプロピレン、ナイロン、ポリウレタンあるいはポリエチレンから作られていることを特徴とする請求項９に記載の尿道カテーテル。
【請求項１１】
貯留部分（１５Ａ）の遠位端の周囲に、前記軸方向力が解除されたときに前記部分がその最初の形状に復元するように、可撓性丸縁（１６）が設けられていることを特徴とする任意の請求項に記載の尿道カテーテル。
【請求項１２】
丸縁（１６）が、エラストマー状ポリマーから作られていることを特徴とする請求項１１に記載の尿道カテーテル。
【請求項１３】
弛緩状態にある管状の貯留部分（１５Ａ）の外径が、１２〜３０ｍｍの範囲にあることを特徴とする任意の先行請求項に記載の尿道カテーテル。
【請求項１４】
管状の排出部分（１５Ｂ）の外径が、５〜１２ｍｍの範囲にあることを特徴とする任意の先行請求項に記載の尿道カテーテル。
【請求項１５】
貯留チューブの直径は、前記軸方向力が解除されたときに、前記編組角がこのカテーテルの長手軸に関して臨界角に至るまで、増大することを特徴とする任意の先行請求項に記載の尿道カテーテル。
【請求項１６】
臨界角が、ｔａｎ-1√２＝５４．７３°であることを特徴とする請求項１５に記載の尿道カテーテル。
【請求項１７】
カテーテルが、薄い壁を巡らしたポリウレタンの管材から作られていることを特徴とする任意の先行請求項に記載の尿道カテーテル。
【請求項１８】
カテーテルの近位端に、バルブが配置されていることを特徴とする任意の先行請求項に記載の尿道カテーテル。
【手続補正書】
【提出日】平成15年4月1日(2003.4.1)
【手続補正１】
【補正対象書類名】明細書
【補正対象項目名】特許請求の範囲
【補正方法】変更
【補正の内容】
【特許請求の範囲】
【請求項１】
（ａ）超音波放散を生成するための超音波源；及び
（ｂ）前記超音波源に結合された容器を含む、創面切除される皮膚の領域のデブリドマンのための装置であって、
前記容器は創面切除される皮膚の領域上に置かれるように適応されており、前記容器は創面切除剤及び音響媒体を含有し、さらに前記容器は前記創面切除剤が創面切除される皮膚の領域に接触できるための開口及び創面切除される皮膚の領域に対して前記容器の周囲をシールするためのシールを含み、
創面切除される皮膚の領域のデブリドマンが前記超音波放散の効果と創面切除剤の効果の組み合わせによって実施される装置。
【請求項２】
前記容器が入口をさらに含む請求項１に記載の装置。
【請求項３】
前記入口が前記創面切除剤、前記音響媒体又は溶媒、又はそれらの組み合わせの少なくとも１つを少なくとも挿入するためものである請求項２に記載の装置。
【請求項４】
前記容器が出口をさらに含む請求項１〜３のいずれかに記載の装置。
【請求項５】
前記出口が前記創面切除剤、前記音響媒体又は溶媒、又はそれらの組み合わせの少なくとも１つを少なくとも除去するためのものである請求項４に記載の装置。
【請求項６】
前記出口が前記皮膚の領域に対して前記開口をシールするために少なくとも減圧を作るためのものである請求項４に記載の装置。
【請求項７】
前記超音波源が圧電超音波源ユニットを含む請求項１に記載の装置。
【請求項８】
創面切除される皮膚の領域からある距離に前記超音波源を維持するためのスペーシング手段をさらに含む請求項１に記載の装置。
【請求項９】
前記スペーシング手段が前記容器と組み合わされる請求項８に記載の装置。
【請求項１０】
前記創面切除剤及び前記音響媒体が組み合わされて液体創面切除剤を形成する請求項１に記載の装置。
【請求項１１】
前記音響媒体が前記創面切除剤のための溶媒を含む請求項１に記載の装置。
【請求項１２】
前記創面切除剤が化学的創面切除剤又は酵素的創面切除剤の少なくとも１つを含む請求項１に記載の装置。
【請求項１３】
前記創面切除剤が少なくとも１種のブロメライン誘導体を含む請求項１２に記載の装置。
【請求項１４】
前記少なくとも１種のブロメライン誘導体がデブリダーゼを含む請求項１３に記載の装置。
【請求項１５】
超音波放散と前記創面切除剤の組み合わせで皮膚領域を効果的に創面切除するための請求項１に記載の装置の使用。
【請求項１６】
創面切除される皮膚の領域が創面切除剤と接触されるように、かつ超音波放散が前記皮膚の領域に適用されるように、超音波放散と創面切除される皮膚の領域を創面切除するための創面切除剤の組み合わせの使用。
【請求項１７】
前記創面切除剤が少なくとも１種のブロメライン誘導体を含む請求項１６に記載の使用。
【請求項１８】
前記少なくとも１種のブロメライン誘導体がデブリダーゼを含む請求項１７に記載の使用。
【請求項１９】
創面切除される皮膚の領域のデブリドマンのための装置であって、前記装置は超音波放散を生成するための超音波源と前記超音波源に結合された容器を含み、前記容器は創面切除される皮膚の領域上に置かれるように適応されている装置において、
前記容器は創面切除剤及び音響媒体を含有し、さらに前記容器は前記創面切除剤が創面切除される皮膚の領域に接触できるための開口及び創面切除される皮膚の領域に対して前記容器の周囲をシールするためのシールを含み、
創面切除される皮膚の領域のデブリドマンが前記超音波放散の効果と創面切除剤の効果の組み合わせによって実施される装置。
【手続補正書】
【提出日】平成14年6月4日(2002.6.4)
【手続補正１】
【補正対象書類名】明細書
【補正対象項目名】特許請求の範囲
【補正方法】変更
【補正の内容】
【特許請求の範囲】
【請求項１】
プラスチックが溶融状態にあるときにそのプラスチックに物体を取り付けるためのアダプタ（１６）において、そのアダプタは、
ボディ（３０）と、
前記ボディと結合され、前記ボディから異なる方向に遠ざかるように延び、前記プラスチックの表面に溶接可能な、少なくとも２個の足（３４）と、
前記ボディと結合された結合機構であって、前記物体を前記ボディに結合するように設けられた上記結合機構と、
を有することを特徴とするアダプタ。
【請求項２】
前記少なくとも２個の足の厚さが、前記ボディから前記少なくとも２個の足が遠ざかるにつれて薄くなっている請求項１記載のアダプタ。
【請求項３】
前記足は、前記アダプタと前記プラスチックの前記表面の間で生じる応力を吸収するように作用しうる請求項１のアダプタ。
【請求項４】
前記少なくとも２個の足及び前記ボディは一つの連続的構造である請求項１乃至３の何れか１項記載のアダプタ。
【請求項５】
前記少なくとも２個の足は、前記プラスチックの前記表面と共に溶融して表面溶接を形成するように作用しうる請求項１乃至３の何れか１項記載のアダプタ。
【請求項６】
前記結合機構は、溶接、スナップ嵌め合い接合、ねじ接合、摩擦嵌め合い、クランプ、キーパ、ラッチ、前記物体にモールドするための手段、及び、前記物体にオーバモールドする手段の内の少なくとも一つを含む請求項１記載のアダプタ。
【請求項７】
前記少なくとも２個の足は、それらの間にスリット（４２）を保持しながら、遠ざかる方向に延びている請求項１乃至３の何れか１項記載のアダプタ。
【請求項８】
前記少なくとも２個の足は、前記プラスチックの前記表面内への貫通深さを制限するように作用する請求項１乃至３の何れか１項記載のアダプタ。
【請求項９】
プラスチックが溶融状態にあるときにそのプラスチックに物体を取り付けるために使用されるアダプタ（１６）において、そのアダプタは、
それぞれが遠方端（４４）と近傍端（３８）とを有する複数のプラスチック製の足（３４）と、
前記プラスチック製の各足の前記遠方端に接合されたボディ（３０）であって、前記各足の前記近傍端が前記ボディから離れる方向に懸架されて、前記プラスチックの前記表面と係合するように溶接部（４６）を形成する上記ボディと、
前記ボディと結合される結合機構（３２）であって、前記物体と結合するように作用可能である上記結合機構と、
を有することを特徴とするアダプタ。
【請求項１０】
前記プラスチック製の各足の前記遠方端を形成する材料の厚さが、前記プラスチック製の各足の前記近傍端を形成する材料の厚さよりも薄い請求項９記載のアダプタ。
【請求項１１】
前記遠方端の表面積が前記近傍端の表面積よりも小さい請求項９記載のアダプタ。
１０乃至１２の何れか１項記載のアダプタ。
【請求項１２】
前記結合機構は、前記物体と一体的に形成されている請求項９記載のアダプタ。
【請求項１３】
前記溶接部は、表面溶接を形成することによって、前記プラスチックの前記表面と係合するように操作可能である請求項９乃至１１の何れか１項記載のアダプタ。
【請求項１４】
前記溶接部は、リップ（４８）及び比較的平坦な表面を有し、そのリップ及び比較的平坦な表面は前記プラスチックの前記表面上に位置決め可能である請求項９乃至１１の何れか１項記載のアダプタ。
【請求項１５】
前記プラスチック製の各足は、花弁形状をなす請求項９乃至１１の何れか１項記載のアダプタ。
【請求項１６】
プラスチック燃料タンク（１２）の壁が溶融状態にあるときにその壁に燃料系統コンポーネント（１４）を取り付けるためのアダプタ（１６）において、そのアダプタは、
遠方端（３６）及び近傍端（３８）を有して長手方向に延びる中空のハウジングを形成するボディ（３０）を有し、
前記遠方端は前記燃料系統コンポーネントに結合するように作用可能な結合機構（３２）を有し、
前記ボディには複数のスリット（４２）があり、そのスリットは、前記近傍端から前記遠方端に向かって予め決められた距離だけ延びており、
前記スリットに隣接する前記ボディの一部が、前記近傍端の近くに溶接部（４６）を提供するように形成され、その溶接部は、前記壁の前記表面に溶接可能であることを特徴とするアダプタ。
【請求項１７】
前記ボディの前記一部が、前記ボディの中心軸（４０）に平行でない方向に作用する力に応じて変形するように作用可能な請求項１６記載のアダプタ。
【請求項１８】
前記溶接部を形成する前記プラスチック樹脂の厚さが、前記ボディの他の部分の厚さよりも薄い請求項１６記載のアダプタ。
【請求項１９】
前記ボディの隣接する複数の部分の間の均一な距離が前記スリットを形成する請求項１６記載のアダプタ。
【請求項２０】
前記ボディの各部分が前記ボディの中心軸（４０）から外側に離れる方向に延びている、請求項１６乃至１９の何れか１項記載のアダプタ。
【請求項２１】
前記ボディの前記部分が一つの分割された漏斗の形を成す請求項１６乃至１９の何れか１項記載のアダプタ。
【請求項２２】
前記溶接部は、前記スリットによって分断された環状のリングを形成する請求項１６乃至１９の何れか１項記載のアダプタ。
【請求項２３】
前記溶接部は比較的平坦な表面とリップ（４８）とを有し、前記比較的平坦な表面は、溶接作業中に、前記アダプタが傾くこと又は前記壁の前記表面から離れることを抑制するように作用する請求項１６乃至１９の何れか１項記載のアダプタ。
【請求項２４】
ａ）プラスチックを溶融状態に加熱する工程と、
ｂ）ボディ（３０）と複数の足（３４）と結合機構（３２）とを有するアダプタ（１６）を提供する工程と、
ｃ）前記結合機構に物体を結合する工程と、
ｄ）前記足を前記プラスチックの表面に接触させて表面溶接を形成する工程と、
ｅ）前記プラスチックと前記アダプタとを冷却する工程と、
を有することを特徴とするプラスチックに物体を結合する方法。